(57)【特許請求の範囲】
【請求項１】
少なくとも臀部を覆う本体部と、前記本体部の左右一対にそれぞれ配置され、前記本体部の緊締力よりも強い緊締力を有する帯状の第１の緊締部及び第２の緊締部とを備え、
前記第１の緊締部は、臀部の頂点よりも後中心側において、前記本体部上部から臀溝まで縦方向に延在し、
前記第２の緊締部は、臀部の頂点よりも下側において少なくとも臀溝上側を覆い、前記第１の緊締部の下端部に連結された一方の端部から脇側上方へ向けて立ち上がっており、他方の端部が大転子の後側の下方まで延びている、
ことを特徴とするボトム衣類。
【請求項２】
少なくとも臀部を覆う本体部と、前記本体部の左右一対にそれぞれ配置され、前記本体部の緊締力よりも強い緊締力を有する帯状の第１の緊締部及び第２の緊締部とを備え、
前記第１の緊締部は、臀部の頂点よりも後中心側において、前記本体部上部から臀溝まで縦方向に延在し、
前記第２の緊締部は、臀部の頂点よりも下側において少なくとも臀溝上側を覆い、前記第１の緊締部の下端部に連結された一方の端部から脇側上方へ向けて立ち上がっており、大転子の後側の下方を通り、大転子の後側より前側において他方の端部が脇側上方まで延びている、
ことを特徴とするボトム衣類。
【請求項３】
前記第２の緊締部は、臀部の頂点よりも下側において少なくとも臀溝を覆う、
ことを特徴とする請求項１又は２に記載のボトム衣類。
【請求項４】
前記第２の緊締部の最大幅は、前記第１の緊締部の最大幅より大きい、
ことを特徴とする請求項１乃至３の何れか１項に記載のボトム衣類。
【請求項５】
前記第２の緊締部における下辺の最下点は、上辺の最下点よりも後中心側に位置する、
ことを特徴とする請求項１乃至４の何れか１項に記載のボトム衣類。
【請求項６】
前記第２の緊締部は、臀溝の下側まで覆う、
ことを特徴とする請求項１乃至５の何れか１項に記載のボトム衣類。
【請求項７】
前記第１の緊締部は、前記本体部上部の後中心から延びている、
ことを特徴とする請求項１乃至６の何れか１項に記載のボトム衣類。
【請求項８】
前記本体部の左右一対にそれぞれ配置された本体部上部緊締部及び第３の緊締部を更に備え、
前記本体部上部緊締部は、前記第１の緊締部の上端部から前記本体部上部に沿って脇側まで延在しており、
前記第３の緊締部は、大転子の後側より前側において縦方向にほぼ円弧状に延在しており、
前記本体部上部緊締部の脇側端部と前記第２の緊締部の前記他方の端部とが、前記第３の緊締部によって連結されている、
ことを特徴とする請求項２に記載のボトム衣類。
【発明の詳細な説明】
【技術分野】
【０００１】
本発明は、臀部の造形機能を有するボトム衣類に関するものである。
【背景技術】
【０００２】
特許文献１〜３には、臀部の造形機能を有するボトム衣類として、ガードルが開示されている。特許文献１及び２に開示のガードルは、着用者のヒップアップを図り、ヒップの型を体裁良く綺麗に整えるために、伸縮性を有する帯状の緊締部を備えている。この緊締部は、臀溝に沿って股部から斜め上方脇側方向へ延在し、更に、臀部の脇側において上方向へ延在している。
【０００３】
しかしながら、この種の緊締部を備えるガードルでは、緊締部が大殿筋の筋腹のほぼ中央近傍部分を横切って圧迫するので、脚の動きを妨げて脚が動かし難いと共に着用感も低下することがある（特許文献３参照）。
【０００４】
この点に関し、特許文献３に開示のガードルは、運動時などにも脚部が動かし易く、着用感が優れ、快適な着心地が得られ、かつヒップアップ機能が得られる帯状の緊締部を備えている。この緊締部は、ヒップの頂点部よりも後正中線寄りの左右の大殿筋の縁近傍に沿って延在しており、その上端はヒップラインを越えて斜め脇側上方向に延びてウエストラインの脇側に至っており、その下端は斜め脇側下方向に延びて臀溝最下点近傍まで到達している。
【先行技術文献】
【特許文献】
【０００５】
【特許文献１】実用新案登録第３０１０４７６号公報
【特許文献２】特開平８−１２７９０３号公報
【特許文献３】特開平８−１５８１０９号公報
【発明の概要】
【発明が解決しようとする課題】
【０００６】
ところで、理想的な臀部形状は、図１に示すように、臀部全体が丸い形状で、左右に二つの山が現れる形状である。
【０００７】
これに対し、１０歳代後半〜２０歳代の若者においては、臀部が脇側に張り出す傾向があり、この脇側に張り出した臀部を小尻に造形することが望まれている。この種の若者に対しては、特許文献１及び２に開示のガードルが効果を奏すると考えられる。
【０００８】
一方、５０歳代以上の高齢者においては、図２に示すように、
（１）臀部が下内側（下側かつ後中心側）に下垂し（領域Ａ）、
（２）大転子の後側付近の肉が削げて（領域Ｂ）、
臀部全体が四角い形状となり、左右の二つの山がなくなってしまう傾向がある。
【０００９】
この種の高齢者が、特許文献１及び２に開示のガードルを着用した場合、下内側に下垂した肉をある程度脇側上方に引き上げることができるものの、臀部全体が一つの山に造形されてしまい、臀部全体の四角い形状を丸く造形することができない。更に、大転子の後側付近の肉の削げを改善することができない。
【００１０】
また、この種の高齢者が、特許文献３に開示のガードルを着用した場合、下内側に下垂した肉をある程度上方向へ引き上げることができ、ある程度左右に二つの山を造形することができるものの、臀部全体の四角い形状を丸く造形することができない。更に、大転子の後側付近の肉の削げを改善することができない。
【００１１】
本発明は、上記問題点を解決するためになされたものであり、比較的高齢者のための臀部の造形機能を高めるボトム衣類を提供することを目的とする。
【課題を解決するための手段】
【００１２】
本発明のボトム衣類は、少なくとも臀部を覆う本体部と、本体部の左右一対にそれぞれ配置され、本体部の緊締力よりも強い緊締力を有する帯状の第１の緊締部及び第２の緊締部とを備え、第１の緊締部は、臀部の頂点よりも後中心側において、本体部上部から臀溝まで縦方向に延在し、第２の緊締部は、臀部の頂点よりも下側において少なくとも臀溝上側を覆い、第１の緊締部の下端部から脇側上方へ向けて立ち上がっていることを特徴とする。
【００１３】
このボトム衣類によれば、第１の緊締部が、高齢者特有の臀部の下内側に下垂した肉を上方向へ引き上げるように作用する。また、第２の緊締部が、臀部の下部全体、特に高齢者特有の臀部の下内側に下垂した肉を脇側上方に引き上げるように作用すると共に、第１の緊締部によって引き上げた臀裂側の肉を臀部の頂点側へ移動させるように作用する。これらの第１の緊締部による上方向への引き上げ力と第２の緊締部による脇側上方への引き上げ力との作用により、左右に二つの山を形成することができると共に、臀部全体を丸く造形することができる。
【００１４】
更に、このボトム衣類によれば、第１の緊締部による上方向への引き上げ力と第２の緊締部による脇側上方への引き上げ力との合成引き上げ力が、臀部の肉を大転子の後側へ移動させるように作用する。したがって、高齢者特有の大転子の後側の削げを低減することができ、臀部全体をより丸く造形することができる。
【００１５】
上記した第２の緊締部は、臀部の頂点よりも下側において少なくとも臀溝を覆うことが好ましい。これによれば、第２の緊締部による脇側上方への引き上げ力を高めることができる。
【００１６】
上記した第２の緊締部の最大幅は、上記した第１の緊締部の最大幅より大きいことが好ましい。これによれば、第１の緊締部によって引き上げた臀裂側の肉を臀部の頂点側へ移動させるように作用する第２の緊締部の脇側上方への引き上げ力を高めることができ、脇側上方への引き上げ力を効率よく作用させることができる。
【００１７】
また、上記した第２の緊締部における下辺の最下点は、上辺の最下点よりも後中心側に位置することが好ましい。これによれば、第２の緊締部による上方への引き上げ力を高めることができ、脇側上方への引き上げ力を効率よく作用させることができる。
【００１８】
また、上記した第２の緊締部は、臀溝の下側まで覆うことが好ましい。５０歳以上の高齢者においては、図２に示すように、臀溝の下側の大腿部に複数の肉の盛り上がりが生じてしまう。これによれば、臀溝の下側まで覆う第２の緊締部が、脇側上方への引き上げ力を効率よく作用させると共に、臀溝の下側の大腿部に生じた複数の肉の盛り上がりをスムージングすることによって低減することができる。
【００１９】
また、上記した第１の緊締部は、本体部上部であるウエスト付近の後中心から延びていることが好ましい。これによれば、第１の緊締部による上方向への引き上げ力を効率よく作用させることができる。
【発明の効果】
【００２０】
本発明によれば、比較的高齢者のための臀部の造形機能を高めることができる。
【図面の簡単な説明】
【００２１】
【図１】理想的な臀部を示す図である。
【図２】高齢者の臀部を示す図である。
【図３】本発明の実施形態に係るガードルの裏側を示す図である。
【図４】図３に示す本実施形態のガードルの作用を示す図である。
【図５】本発明の第１の変形例に係るガードルの裏側を示す図である。
【図６】本発明の第２の変形例に係るガードルの裏側を示す図である。
【図７】本発明の第３の変形例に係るガードルの裏側を示す図である。
【図８】本発明の第４の変形例に係るガードルの裏側を示す図である。
【図９】本発明の第５の変形例に係るガードルの裏側を示す図である。
【図１０】本発明の第６の変形例に係るガードルの裏側を示す図である。
【図１１】本発明の第７の変形例に係るガードルの裏側を示す図である。
【図１２】第１の比較例を着用したときの高齢者の臀部のモアレ等高線解析結果を示す図である。
【図１３】第２の比較例を着用したときの高齢者の臀部のモアレ等高線解析結果を示す図である。
【図１４】第３の比較例を着用したときの高齢者の臀部のモアレ等高線解析結果を示す図である。
【図１５】本実施例のガードルを着用したときの高齢者の臀部のモアレ等高線解析結果を示す図である。
【図１６】第４の比較例、及び、第４の比較例を着用したときの高齢者の臀部のモアレ等高線解析結果を示す図である。
【図１７】第５の比較例、及び、第５の比較例を着用したときの高齢者の臀部のモアレ等高線解析結果を示す図である。
【図１８】第６の比較例、及び、第６の比較例を着用したときの高齢者の臀部のモアレ等高線解析結果を示す図である。
【図１９】第７の比較例、及び、第７の比較例を着用したときの高齢者の臀部のモアレ等高線解析結果を示す図である。
【発明を実施するための形態】
【００２２】
以下、図面を参照して本発明のボトム衣類の好適な実施形態について詳細に説明する。なお、各図面において同一又は相当の部分に対しては同一の符号を附すこととする。
【００２３】
図３は、本発明の実施形態に係るガードルの裏側（着用者の肌に接する内側）を示す図である。本実施形態のガードル１は、着用者の臀部及び大腿部を覆うロングタイプのガードルであり、本体部１０と、一対の第１の緊締部２０，２０と、一対の第２の緊締部３０，３０とを備えている。
【００２４】
本体部１０は、着用者の臀部及び大腿部を覆い、臀部及び大腿部に対して密着性を有している。例えば、本体部１０には、伸縮性を有するツーウェイラッセル素材（ナイロン６３％、ポリウレタン１４％、綿２３％、７０デニール）が適用される。本体部１０の裏側には、第１の緊締部２０，２０及び第２の緊締部３０，３０が部分的に設けられている。
【００２５】
第１の緊締部２０，２０及び第２の緊締部３０，３０は、本体部１０の左右一対にそれぞれ配置されており、臀裂Ｃを覆うことなく離間している。第１の緊締部２０，２０及び第２の緊締部３０，３０は、本体部１０の緊締力よりも強い緊締力を有している。例えば、第１の緊締部２０，２０及び第２の緊締部３０，３０には、本体部１０より伸長回復性が大きいパワーネット素材（ナイロン８１．５％、ポリウレタン１８．５％、２８０デニール）が適用される。第１の緊締部２０，２０及び第２の緊締部３０，３０は、幅を有しており、その周縁部が本体部１０の裏側に縫着されている。
【００２６】
ここで、第１の緊締部２０，２０は、着用状態において、臀部の頂点Ｄよりも後中心側（すなわち、臀裂Ｃ側）寄りに位置しており、縦方向に延在している。第１の緊締部２０，２０は、本体部上部Ｅの後中心寄りから臀溝Ｆまで延びている。第１の緊締部２０，２０の下端部には、第２の緊締部３０，３０の一方の端部がそれぞれ連結されている。
【００２７】
第２の緊締部３０，３０は、着用状態において、臀部の頂点Ｄよりも下側寄りに位置しており、臀部の下部及び臀溝Ｆの下側の大腿部を覆っている。第２の緊締部３０，３０は、第１の緊締部２０，２０の下端部から臀溝Ｆにほぼ沿って脇側上方へ向けて立ち上がっている。第２の緊締部３０，３０の他方の端部は、次第に幅が狭くなるように、大転子の後側Ｂの下方まで延びている。第２の緊締部３０，３０の立ち上がり角度θは、平置き状態において、臀裂に対して５０度以上９０度以下であることが好ましく、更に好ましくは５０度以上８０度以下であり、本実施形態では６８度に設定する。
【００２８】
第２の緊締部３０，３０の立ち上がり角度θとは、換言すれば、股部に設けられたクロッチ部の中心の最下点（クロッチポイント）Ｇから上方に約４０〜５０ｍｍ、且つ脇側に約４０〜５０ｍｍの位置を始点Ｈとし、始点Ｈにおいて臀裂Ｃにほぼ平行な線Ｉに対して、始点Ｈから第２の緊締部３０，３０の脇側端Ｊまでを結ぶ線Ｋがなす角度である。
【００２９】
また、第２の緊締部３０，３０は、下辺の最下点３１が上辺の最下点３２よりも後中心側に位置するように、臀溝Ｆにほぼ沿って弧状に形成されている。また、第２の緊締部３０，３０の最大幅Ｗ２は、第１の緊締部２０，２０の最大幅Ｗ１より大きい。例えば、第２の緊締部３０，３０の幅は５０ｍｍ〜１２０ｍｍであり、第１の緊締部２０，２０の幅は２０ｍｍ〜４０ｍｍである。
【００３０】
また、第２の緊締部３０，３０及び第１の緊締部２０，２０は、上記した始点Ｈが後中心側の端辺３３から３０ｍｍ以上脇側に位置するように形成される。
【００３１】
この本実施形態のガードル１によれば、図４に示すように、第１の緊締部２０による引き上げ力Ｆ１が、高齢者特有の臀部の下内側Ａに下垂した肉を上方向へ引き上げるように作用する。また、第２の緊締部３０による引き上げ力Ｆ２が、臀部の下部全体、特に高齢者特有の臀部の下内側Ａに下垂した肉を脇側上方に引き上げるように作用すると共に、第１の緊締部２０によって引き上げた臀裂Ｃ側の肉を臀部の頂点Ｄ側へ移動させるように作用する。これらの第１の緊締部２０，２０による上方向への引き上げ力Ｆ１と第２の緊締部３０，３０による脇側上方への引き上げ力Ｆ２との作用により、左右に二つの山を形成することができると共に、臀部全体を丸く造形することができる。
【００３２】
更に、本実施形態のガードル１によれば、第１の緊締部２０による上方向への引き上げ力Ｆ１と第２の緊締部３０による脇側上方への引き上げ力Ｆ２との合成引き上げ力Ｆ３が、臀部の肉を大転子後側Ｂへ移動させるように作用する。したがって、高齢者特有の大転子後側Ｂの削げを低減することができ、臀部全体をより丸く造形することができる。
【００３３】
また、本実施形態のガードル１によれば、第２の緊締部３０が臀溝Ｆの下側の大腿部まで覆うので、臀溝Ｆの下側の大腿部に生じた高齢者特有の複数の肉の盛り上がりをスムージングすることによって低減することができる。
【００３４】
なお、本発明は上記した本実施形態に限定されることなく種々の変形が可能である。例えば、本体部、第１の緊締部、及び、第２の緊締部は、様々な態様に変形可能である。以下に、本体部、第１の緊締部、及び、第２の緊締部のいくつかの変形例を示す。
［第１の変形例］
【００３５】
図５は、本発明の第１の変形例に係るガードルの裏側を示す図である。この第１の変形例のガードル１Ａは、ガードル１において一対の第２の緊締部３０，３０に代えて一対の第２の緊締部３０Ａ，３０Ａを備えている構成で本実施形態と異なっている。図５に示すように、第２の緊締部３０Ａ，３０Ａは、第２の緊締部３０，３０において脇側端部が丸く形成されていてもよい。
［第２の変形例］
【００３６】
図６は、本発明の第２の変形例に係るガードルの裏側を示す図である。この第２の変形例のガードル１Ｂは、ガードル１において本体部１０に代えて本体部１０Ｂを備えている構成で本実施形態と異なっている。図６に示すように、本体部１０Ｂには、本体部１０の本体部上部Ｅに切替部１１が形成されていてもよい。例えば、切替部１１は、ウエストゴムや別布を本体部１０の本体部上部Ｅに縫着することによって形成される。これにより、着用時の本体部上部Ｅすなわちウエスト部分でのフィット感を向上させることができる。また、本体部１０Ｂには、第１の緊締部及び第２の緊締部によって造形した臀部形状をつぶさないためのゆとりを得るために、接ぎ合わせ部（ダーツ部）１２が形成されてもよい。
［第３の変形例］
【００３７】
図７は、本発明の第３の変形例に係るガードルの裏側を示す図である。この第３の変形例のガードル１Ｃは、ガードル１において一対の第１の緊締部２０，２０に代えて一対の第１の緊締部２０Ｃ，２０Ｃを備えている構成で本実施形態と異なっている。第１の緊締部２０Ｃ，２０Ｃには、第１の緊締部２０，２０の上端部に切替部２１，２１が形成されている。切替部２１，２１は、第１の緊締部２０，２０と同一の素材からなり、それぞれ本体部上部Ｅを後中心から前中心まで半周するように本体部１０の本体部上部Ｅに縫着されている。なお、切替部２１，２１は半周することなく互いに離間していてもよい。このように、第２の変形例における切替部１１を第１の緊締部２０，２０の素材で形成してもよい。
［第４の変形例］
【００３８】
図８は、本発明の第４の変形例に係るガードルの裏側を示す図である。この第４の変形例のガードル１Ｄは、ガードル１における一対の第２の緊締部３０，３０に代えて一対の第２の緊締部３０Ｄ，３０Ｄを備えている構成で本実施形態と異なっている。図８に示すように、第２の緊締部３０Ｄ，３０Ｄは、第２の緊締部３０，３０において更に大腿部も覆うように形成されていてもよい。
［第５の変形例］
【００３９】
図９は、本発明の第５の変形例に係るガードルの裏側を示す図である。この第５の変形例のガードル１Ｅは、ガードル１において一対の第１の緊締部２０，２０及び一対の第２の緊締部３０，３０に代えて一対の第１の緊締部２０Ｅ，２０Ｅ、一対の第２の緊締部３０Ｅ，３０Ｅを備えており、更に一対の本体部上部緊締部２１Ｅ，２１Ｅ、第３の緊締部４０，４０を備えている構成で本実施形態と異なっている。本体部上部緊締部２１Ｅ，２１Ｅは、第１の緊締部２０，２０と同様の第１の緊締部２０Ｅ，２０Ｅの上端部から本体部上端Ｅに沿って脇側まで延在している。また、第２の緊締部３０Ｅ，３０Ｅでは、第２の緊締部３０，３０において脇側端部が大転子後側の下方よりも更に脇側上方に延びている。そして、本体部上部緊締部２１Ｅ，２１Ｅの脇側端部と第２の緊締部３０Ｅ，３０Ｅの脇側端部とが、大転子後側より前側において縦方向にほぼ円弧状に延在する第３の緊締部４０，４０によって連結されていてもよい。
［第６の変形例］
【００４０】
図１０は、本発明の第６の変形例に係るガードルの裏側を示す図である。この第６の変形例のガードル１Ｆは、ガードル１において本体部１０及び一対の第２の緊締部３０，３０に代えて本体部１０Ｆ、一対の第２の緊締部３０Ｆ，３０Ｆを備えている構成で本実施形態と異なっている。本体部１０Ｆは、着用者の臀部のみを覆う。そのため、第２の緊締部３０Ｆ，３０Ｆは、第２の緊締部３０，３０において大腿部を覆う部分が削除されている。すなわち、第２の緊締部３０Ｆ，３０Ｆは、臀部の頂点よりも下側から臀溝上側、好ましくは臀溝までを覆うように形成されている。このように、第６の変形例のガードル１Ｆは、ショートタイプのガードルであってもよい。
［第７の変形例］
【００４１】
図１１は、本発明の第７の変形例に係るガードルの裏側を示す図である。この第７の変形例のガードル１Ｇは、ガードル１Ｆにおいて一対の第２の緊締部３０Ｆ，３０Ｆに代えて一対の第２の緊締部３０Ｇ，３０Ｇを備えている構成で第６の変形例と異なっている。図１１に示すように、第２の緊締部３０Ｇ，３０Ｇは、第２の緊締部３０Ｆ，３０Ｆにおいて、第１の緊締部２０，２０に連結する一方の端部から他方の端部に向けて幅が一定であってもよい。
【００４２】
更に、本発明は上記した本実施形態及び本変形例に限定されることなく種々の変形が可能である。本実施形態及び本変形例の第１の緊締部は、縦方向に延在するものであるが、この縦方向は広義の意味に解釈するものとする。すなわち、第１の緊締部は、ウエストラインに対して直角方向に延在してもよいし、やや斜め方向に延在してもよい。また、本実施形態及び本変形例の第１及び第２の緊締部は、直線状に形成してもよいし、緩やかな曲線状に形成してもよい。
【００４３】
また、本実施形態及び本変形例では、第１の緊締部及び第２の緊締部にパワーネット素材が適用されたが、第１の緊締部及び第２の緊締部の素材はこれに限定されない。例えば、サテンパワーネット素材、トリコネット素材等が適用されてもよい。また、本実施形態及び本変形例では、本体部にツーウェイラッセル素材が適用されたが、本体部の素材はこれに限定されない。例えば、本体部にはベア天竺等が適用されてもよい。
【００４４】
また、本実施形態及び本変形例では、第１の緊締部及び第２の緊締部を本体部の裏側に設けたが、本体部の表側（着用者の肌に接しない外側）に設けてもよい。
【００４５】
また、本実施形態及び本変形例では、第１の緊締部及び第２の緊締部を本体部に当て布として縫着する一例を示したが、第１の緊締部及び第２の緊締部の当て布は複数の生地により構成しても良く、また、縫着でなく接着剤等で貼り付けてもよい。また、第１の緊締部及び第２の緊締部は、縦編素材や丸編素材の編組織を変化させたり、オパール加工を施すことによって形成されてもよいし、ポリエステルやウレタン等の樹脂を本体部に塗布することによって形成してもよい（樹脂加工）。
【００４６】
また、本実施形態及び変形例では、ショートタイプ、及び、膝上丈のロングタイプのガードルを例示したが、本発明の特徴は種々の丈長さに適用可能である。
【００４７】
また、本実施形態及び変形例の特徴は、ガードル（ファンデーション）以外でも、ショーツ、パンティストッキング、レギンス、スパッツ、タイツ、スポーツ用タイツ、水着、レオタード、ボディスーツ、パンツ等のように臀部を覆うボトム衣類であればすべてに適用可能である。なお、アウターに適用する場合、本実施形態及び変形例のボトム衣類を内側に内蔵してもよい。
【００４８】
なお、ショーツ等の本体部の緊締力が低い場合には、第２の緊締部の立ち上がり角度θを鋭角にすると、顕著な効果が得られる。
【実施例１】
【００４９】
図３に示す本発明の実施形態のガードル１を実施例として製作し、以下の評価を行った。
［評価１］
【００５０】
本実施例に対して対比を行った比較例は、出願人の主要な商品であり、それらの特徴及び仕様は次のとおりである。
第１の比較例：Ｔバックショーツを着用したヌードと同等の状態である。
第２の比較例：主に２０〜３０歳代の若者向けであり、「ヒップアップして小尻脚長」を目的とするガードルである。特許文献１及び２と同様に、ヒップアップすること、及び、若者特有の脇側に張り出した臀部を小尻に造形することを目的として、臀溝に沿って股部から斜め上方脇側方向へ延在する緊締部を備える。
第３の比較例：主に５０歳以上の高齢者向けであり、「ヒップアップの造形性」と「運動時の股関節の安定」との両立を目的とするガードルである。特許文献１及び２と同様に、臀溝に沿って股部から斜め上方脇側方向へ延在する緊締部を備える。
【００５１】
本評価では、本発明の実施例及び各比較例を着用した高齢者の臀部を撮影した後、それぞれのモアレ等高線解析を行った。これらの解析結果を図１２〜１５に示す。図１２は、第１の比較例を着用したときの高齢者の臀部のモアレ等高線解析結果を示す図であり、図１３は、第２の比較例を着用したときの高齢者の臀部のモアレ等高線解析結果を示す図である。また、図１４は、第３の比較例を着用したときの高齢者の臀部のモアレ等高線解析結果を示す図であり、図１５は、本実施例のガードル１を着用したときの高齢者の臀部のモアレ等高線解析結果を示す図である。
【００５２】
図１２によれば、第１の比較例では、（１）臀部が下内側に下垂し、（２）大転子の後側付近の肉が削げている。その結果、臀部全体が四角い形状となり、左右の二つの山が低い。また、臀溝の下側の大腿部に複数の肉の盛り上がりが存在している。
【００５３】
図１３及び図１４によれば、第２の比較例及び第３の比較例では、臀溝に沿って股部から斜め上方脇側方向へ延在する緊締部によって、下内側に下垂した肉をある程度脇側上方に引き上げることができ、臀溝の下側の大腿部に生じた複数の肉の盛り上がりをある程度スムージングして低減することができた。しかしながら、臀部全体が一つの山に造形されてしまい、臀部全体の四角い形状を丸く造形することができていない。また、大転子の後側付近の肉の削げを改善することができていない。
【００５４】
これらに対し、図１５によれば、本実施例のガードル１では、第１の緊締部２０による上方向への引き上げ力と第２の緊締部３０による脇側上方への引き上げ力とにより、下内側に下垂した肉を臀部の頂点及び脇側上方に引き上げ、左右に二つの山を形成することができ、臀部全体を丸く造形することができた。更に、第１の緊締部２０による上方向への引き上げ力と第２の緊締部３０による脇側上方への引き上げ力との合成引き上げ力により、大転子の後側の削げを低減することができ、臀部全体をより丸く造形することができた。また、臀溝の下側まで覆う第２の緊締部によって、臀溝の下側の大腿部に生じた複数の肉の盛り上がりをスムージングして低減し、臀溝上方の中心側をスッキリさせることができた。その結果、図２に示すように理想的なヒップであって、若々しく綺麗なヒップに造形することができた。
［評価２］
【００５５】
本実施例に対して対比を行った比較例は、本実施例を発案するにあたり出願人が試行錯誤した試作品であり、それらの特徴及び仕様は次のとおりである。
第４の比較例：図１６（ａ）に示すように、本実施例のガードル１において、第２の緊締部３０の脇側端部が大転子後側の下方付近まで延在せず、第２の緊締部３０の立ち上がりが不十分であるタイプのガードルである。
第５の比較例：図１７（ａ）に示すように、本実施例のガードル１において、第１の緊締部２０を省略したタイプのガードルである。
【００５６】
本評価でも、本発明の実施例及び各比較例を着用した高齢者の臀部を撮影した後、それぞれのモアレ等高線解析を行った。これらの解析結果を図１６（ｂ）〜１７（ｂ）に示す。図１６（ｂ）は、第４の比較例を着用したときの高齢者の臀部のモアレ等高線解析結果を示す図であり、図１７（ｂ）は、第５の比較例を着用したときの高齢者の臀部のモアレ等高線解析結果を示す図である。
【００５７】
図１６（ｂ）によれば、第４の比較例では、第１の緊締部２０の作用によって、臀部の下内側に下垂した肉を上方向に引き上げることができた。しかしながら、第２の緊締部３０の作用が不足しているため、臀部の下脇側の肉を十分に引き上げることができず、第１の緊締部２０によって引き上げた臀裂側の肉を臀部の頂点側へ十分に移動させることができていない。その結果、左右に二つの山を形成することが不十分であり、臀部全体を丸く造形することが不十分であった。また、第１の緊締部２０及び第２の緊締部３０の合成引き上げ力の作用が不十分であるため、大転子の後側の削げの改善が不十分であった。更に、臀溝の下側の大腿部に生じた複数の肉の盛り上がりをスムージングして低減することが不十分であった。
【００５８】
図１７（ｂ）によれば、第５の比較例では、第２の緊締部３０の作用によって、臀部の下部全体、特に下内側に下垂した肉を脇側上方に引き上げることができ、臀部の下部から脇側にかけてある程度丸く形成することができた。しかしながら、第１の緊締部２０の作用が不足しているため、臀裂から頂点にかけての造形が不十分であり、左右に二つの山を形成することが不十分であり、臀部全体を丸く造形することが不十分であった。また、第１の緊締部２０及び第２の緊締部３０の合成引き上げ力の作用が不十分であるため、大転子の後側の削げの改善が不十分であった。なお、臀溝の下側まで覆う第２の緊締部３０により、臀溝の下側の大腿部に生じた複数の肉の盛り上がりはスムージングされ低減された。
【００５９】
これより、第１の緊締部２０及び第２の緊締部３０の双方の作用により、上記した本実施例の作用効果が奏されることがわかる。
［評価３］
【００６０】
本実施例に対して対比を行った比較例は、本実施例を発案するにあたり出願人が試行錯誤した試作品であり、それらの特徴及び仕様は次のとおりである。
第６の比較例：図１８に示すように、本実施例において第２の緊締部３０の立ち上り角度を６８度から５０度に鋭角にしたタイプのガードルである。
第７の比較例：図１９に示すように、本実施例において第２の緊締部３０の立ち上り角度を６８度から９０度に鈍角にしたタイプのガードルである。
【００６１】
本評価でも、本発明の実施例及び各比較例を着用した高齢者の臀部を撮影した後、それぞれのモアレ等高線解析を行った。これらの解析結果を図１８（ｂ）〜１９（ｂ）に示す。図１８（ｂ）は、第６の比較例を着用したときの高齢者の臀部のモアレ等高線解析結果を示す図であり、図１９（ｂ）は、第７の比較例を着用したときの高齢者の臀部のモアレ等高線解析結果を示す図である。
【００６２】
図１８（ｂ）及び図１９（ｂ）によれば、第６の比較例及び第７の変形例でも、本実施例のガードル１と同様の効果が得られた。これより、第２の緊締部３０，３０の立ち上がり角度θは、臀裂に対して５０度以上９０度以下であることが好ましいことがわかる。
【符号の説明】
【００６３】
１，１Ａ，１Ｂ，１Ｃ，１Ｄ，１Ｅ，１Ｆ，１Ｇ…ガードル（ボトム衣類）、１０，１０Ｂ，１０Ｆ…本体部、１１，２１…切替部、２０，２０Ｃ，２０Ｅ…第１の緊締部、３０，３０Ａ，３０Ｄ，３０Ｅ，３０Ｆ，３０Ｇ…第２の緊締部、３１…第２の緊締部の下辺の最下点、３２…第２の緊締部の上辺の最下点、３３…第１及び第２の緊締部の後中心側の端辺、４０…第３の緊締部。
【図１】
0005545154.tif 000002
【図２】
0005545154.tif 000003
【図３】
0005545154.tif 000004
【図４】
0005545154.tif 000005
【図５】
0005545154.tif 000006
【図６】
0005545154.tif 000007
【図７】
0005545154.tif 000008
【図８】
0005545154.tif 000009
【図９】
0005545154.tif 000010
【図１０】
0005545154.tif 000011
【図１１】
0005545154.tif 000012
【図１２】
0005545154.tif 000013
【図１３】
0005545154.tif 000014
【図１４】
0005545154.tif 000015
【図１５】
0005545154.tif 000016
【図１６】
0005545154.tif 000017
【図１７】
0005545154.tif 000018
【図１８】
0005545154.tif 000019
【図１９】
0005545154.tif 000020